(57)【特許請求の範囲】
【請求項１】
有機質堆肥や化学肥料を用いた有機質土壌に果実の苗木を植付し太陽光と前記有機質土壌からの土壌養水分を前記苗木に吸収させ成長した主幹に等間隔に複数の芽を形成してその芽から１年枝の新梢枝を伸長させる第１ステップと、２年樹の整枝，剪定に当る作業であって前記新梢枝から発育した結果枝を前記主幹側に３ｃｍ乃至５ｃｍの切り返しを行う第２ステップと、２年樹の生育に当るステージであって前記３ｃｍ乃至５ｃｍの突出している芽から３本の新梢枝を伸長させて結果母枝を作る第３ステップと、３年樹の整枝，剪定に当る作業であって前記３本の新梢枝から発育した結果母枝の内の１本のみを残し他の２本をその根元に２乃至３芽を残して切り返し前記１本の結果母枝の先端を全長の１／３乃至１／４の長さだけ切り返しを行う第４ステップと、３年樹の生育に当るステップであって前記１本の結果母枝に複数の短果枝を伸長させると共に２乃至３芽を残して切り返しされた２本の芽から伸長した新梢枝の内の１本の新梢枝の先端に全長の１／３乃至１／４の長さの切り返しを行い他の１本に新梢枝を伸長させる第５ステップと、４年樹の生育に当るステップであって前記短果枝に果実を養生させてこれを収穫すると共に１／３乃至１／４の長さの切り返しを行った結果母枝に短果枝を発生させる第６ステップと、４年樹の整枝，剪定に当る作業であって果実の収穫された枝を主幹側に芽を残して切り返し１／３乃至１／４の長さの切り返しを行った結果母枝に短果枝を成長させ残りの１本の新梢枝の先端に全長の１／３乃至１／４の長さの切り返しを行う第７ステップと、４年樹の生育に当るステージであって前記短果枝に果実を養生させて収穫し１／３乃至１／４の長さの切り返しを行った結果母枝に結果枝を発生させ第６ステップにおいて果実を収穫された部分の枝の芽から新梢枝を伸長させる第８ステップと、５年樹の整枝，剪定に当る作業であって果実の収穫された枝を主幹側に芽を残して切り返し１／３乃至１／４の長さの切り返しを行った結果母枝に短果枝を成長させ第６ステップにおいて果実を収穫された部分の枝の芽から伸長した新梢枝の先端を全長の１／３乃至１／４の長さの切り返しを行う第９ステップと、５年樹の生育に当るステップであって前記第９ステップにおける短果枝に果実を養生させて収穫し第９ステップにおいて１／３乃至１／４の長さの切り返しを行った枝に短果枝を成長させて第９ステップにおける芽から新梢枝を発生させる第１０ステップとからなり、以下第６ステップから第１０ステップまでの作業を繰り返し行うことを特徴とする果実の矮化栽培における結果枝の更新方法。
【請求項２】
有機質土壌や化学肥料を用いた有機質土壌に果実の苗木を植付し十分な太陽光と前記有機質土壌からの土壌養水分を前記苗木に吸収させ成長した主幹に等間隔に地表に最も近い位置の第１番目の芽から第ｎ番目の芽までの複数の芽を形成し、この芽から伸長した結果枝の相互の干渉をなくしながら果実を養生する更新方法であって、前記芽から１年枝の結果枝を伸長する第１ステップと、この結果枝を主幹側部に３ｃｍ乃至５ｃｍの芽にする切り返しを行う第２ステップと、切り返しされた３ｃｍ乃至５ｃｍの芽の部分から３本の新梢枝を伸長させる２年樹の生育に当る第３ステップと、前記３本の新梢枝の１本のみを残し他の２本を１乃至２芽を残して切り返しを行うと共に残された１本の新梢枝の先端を全長の１／３乃至１／４の長さだけ切り返しを行う３年樹の整枝，剪定に当る第４ステップと、前記１／３乃至１／４の長さの切り返しを行った新梢枝を伸長させ結果母枝としここに短果枝を形成し残りの２本の芽から新梢枝を伸長させる３年樹の生育に当る第５ステップと、第１番目の部分及び第１番目から２つ離れた第４番目の部分は１本の前記結果母枝を残し残りの２本の新梢枝を２乃至３芽を残して切り返し第２番目の枝は結果母枝を１本のみ残し他の２本は２乃至３芽を残して切り返し第３番目の枝は３本のすべてを２乃至３芽を残す切り返しをし、第２番目や第３番目や第４番目や順次の番目の枝から夫々２つ離れた枝に同様の処置を行う４年樹の整枝，剪定に当る第６ステップと、前記第１番目や第４番目の短果枝を形成した枝に果実を実らせ第２番目の１本の新梢枝を結果母枝として短果枝を養生し、残りの２本の枝の２乃至３芽の部分から新梢枝を伸長させ第３番目の３つの２乃至３の芽から新梢枝を伸長させる４年樹の生育に当る第７ステップと、第２番目や第３番目の枝に順次前記の第１番目や第４番目と同様の生育を行わせることを特徴とする果実の矮化栽培における結果枝の更新方法。
【請求項３】
請求項１又は２における複数の芽の間隔が３０ｃｍであり、最終伸長時における全高が１８０ｃｍ乃至２００ｃｍのものからなることを特徴とする請求項１又は２に記載の果実の矮化栽培における結果枝の更新方法。
【発明の詳細な説明】
【技術分野】
【０００１】  本発明は、果実としては各種のものがあるが果実の内、特に梅とオウトウ（桜桃）に関する新しい更新方法に関するものであり、太陽光の恵を大きく受け、大玉で高品質で安全性も高く、老人でも収穫が可能な樹高のものからなる果実の矮化栽培における結果枝の更新方法に関する。
【背景技術】
【０００２】  出願人はかつて果実の内、栗については従来の栽培方法に較べて活気的な発明を実施し、既に６年もたち、大きさ，品質，歩留，密度等について従来のものに較べて優れた品物を製作，販売することに成功した。この内容は「特許文献１」に詳細に記載してある。一方、栗以外の果実についても栗の製法に似ているやり方について長年研究して来たが特に梅とオウトウ（桜桃）については従来にない果実を製作することが可能になったため、ここで開示することとした。
従来の果実は一般に巨木となり、太陽光の恵みも少なく、炭疽病の発生もあり、小玉のものが多く歩留も悪い状態にあった。【０００３】  梅やオウトウについて従来行われて来た一般的な果実の栽培方法としては図１９に示すものが行われて来ている。即ち、１年目では主幹の芽から葉が伸長し２年目ではこの葉の先端側から全長の１／３乃至１／４の長さの切り返しを行い２年目の生育として切り返した部分から複数の結果枝が生育され３年目で結果枝の整枝，剪定を行い３年目の生育でその整枝，剪定の部分に花芽が生じ、４年目で整枝，剪定された部分の花芽に果実が養生されて収穫が行われる。しかしながら、この方法では枝の先端側に果実が養生され十分な栄養分の吸収が出来大玉で品質のよい果実等が収穫されない問題があった。また、すべての枝に同時に果実の養生があり全体としての太陽光の恵が少なくなり、栄養分の分配も不十分となる恐れがある。
【先行技術文献】
【特許文献】
【０００４】
【特許文献１】特許第４９５３１１０号（図６）
【発明の概要】
【発明が解決しようとする課題】
【０００５】  本発明の出願人は栗に関して成功した「特許文献１」の栽培方法を基にして果実の内の特に梅とオウトウに対して新しい栽培方法を研究し、開発した結果従来にない高品質で、大玉で炭疽病などもなく収穫性が良く、消費者に喜ばれる果実等の矮化栽培方法を見出したのでここに一般に開示して提供することを目的とした。
【課題を解決するための手段】
【０００６】  本発明は、以上の目的を達成するため、請求項１の発明は、有機質堆肥や化学肥料を用いた有機質土壌に果実の苗木を植付し太陽光と前記有機質土壌からの土壌養水分を前記苗木に吸収させ成長した主幹に等間隔に複数の芽を形成してその芽から１年枝の新梢枝を伸長させる第１ステップと、２年樹の整枝，剪定に当る作業であって前記新梢枝から発育した結果枝を前記主幹側に３ｃｍ乃至５ｃｍの切り返しを行う第２ステップと、２年樹の生育に当るステージであって前記３ｃｍ乃至５ｃｍの突出している芽から３本の新梢枝を伸長させて結果母枝を作る第３ステップと、３年樹の整枝，剪定に当る作業であって前記３本の新梢枝から発育した結果母枝の内の１本のみを残し他の２本をその根元に２乃至３芽を残して切り返し前記１本の結果母枝の先端を全長の１／３乃至１／４の長さだけ切り返しを行う第４ステップと、３年樹の生育に当るステップであって前記１本の結果母枝に複数の短果枝を伸長させると共に２乃至３芽を残して切り返しされた２本の芽から伸長した新梢枝の内の１本の新梢枝の先端に全長の１／３乃至１／４の長さの切り返しを行い他の１本に新梢枝を伸長させる第５ステップと、４年樹の生育に当るステップであって前記短果枝に果実を養生させてこれを収穫すると共に１／３乃至１／４の長さの切り返しを行った結果母枝に短果枝を発生させる第６ステップと、４年樹の整枝，剪定に当る作業であって果実の収穫された枝を主幹側に芽を残して切り返し１／３乃至１／４の長さの切り返しを行った結果母枝に短果枝を成長させ残りの１本の新梢枝の先端に全長の１／３乃至１／４の長さの切り返しを行う第７ステップと、４年樹の生育に当るステージであって前記短果枝に果実を養生させて収穫し１／３乃至１／４の長さの切り返しを行った結果母枝に結果枝を発生させ第６ステップにおいて果実を収穫された部分の枝の芽から新梢枝を伸長させる第８ステップと、５年樹の整枝，剪定に当る作業であって果実の収穫された枝を主幹側に芽を残して切り返し１／３乃至１／４の長さの切り返しを行った結果母枝に短果枝を成長させ第６ステップにおいて果実を収穫された部分の枝の芽から伸長した新梢枝の先端を全長の１／３乃至１／４の長さの切り返しを行う第９ステップと、５年樹の生育に当るステップであって前記第９ステップにおける短果枝に果実を養生させて収穫し第９ステップにおいて１／３乃至１／４の長さの切り返しを行った枝に短果枝を成長させて第９ステップにおける芽から新梢枝を発生させる第１０ステップとからなり、以下第６ステップから第１０ステップまでの作業を繰り返し行うことを特徴とする。【０００７】  また、請求項２の発明は、有機質土壌や化学肥料を用いた有機質土壌に果実の苗木を植付し十分な太陽光と前記有機質土壌からの土壌養水分を前記苗木に吸収させ成長した主幹に等間隔に地表に最も近い位置の第１番目の芽から第ｎ番目の芽までの複数の芽を形成し、この芽から伸長した結果枝の相互の干渉をなくしながら果実を養生する更新方法であって、前記芽から１年枝の結果枝を伸長する第１ステップと、この結果枝を主幹側部に３ｃｍ乃至５ｃｍの芽にする切り返しを行う第２ステップと、切り返しされた３ｃｍ乃至５ｃｍの芽の��分から３本の新梢枝を伸長させる２年樹の生育に当る第３ステップと、前記３本の新梢枝の１本のみを残し他の２本を１乃至２芽を残して切り返しを行うと共に残された１本の新梢枝の先端を全長の１／３乃至１／４の長さだけ切り返しを行う３年樹の整枝，剪定に当る第４ステップと、前記１／３乃至１／４の長さの切り返しを行った新梢枝を伸長させ結果母枝としここに短果枝を形成し残りの２本の芽から新梢枝を伸長させる３年樹の生育に当る第５ステップと、第１番目の部分及び第１番目から２つ離れた第４番目の部分は１本の前記結果母枝を残し残りの２本の新梢枝を２乃至３芽を残して切り返し第２番目の枝は結果母枝を１本のみ残し他の２本は２乃至３芽を残して切り返し第３番目の枝は３本のすべてを２乃至３芽を残す切り返しをし、第２番目や第３番目や第４番目や順次の番目の枝から夫々２つ離れた枝に同様の処置を行う４年樹の整枝，剪定に当る第６ステップと、前記第１番目や第４番目の短果枝を形成した枝に果実を実らせ第２番目の１本の新梢枝を結果母枝として短果枝を養生し、残りの２本の枝の２乃至３芽の部分から新梢枝を伸長させ第３番目の３つの２乃至３の芽から新梢枝を伸長させる４年樹の生育に当る第７ステップと、第２番目や第３番目の枝に順次前記の第１番目や第４番目と同様の生育を行わせることを特徴とする。【０００８】  また、請求項３の発明は、請求項１又は２における複数の芽の間隔が３０ｃｍであり、最終伸長時における全高が１８０ｃｍ乃至２００ｃｍのものからなることを特徴とする。
【発明の効果】
【０００９】  本発明の請求項１の果実の矮化栽培における結果枝の更新方法は、第１ステップから第１０ステップに渡る更新方法からなり、果実は主幹側部に近い位置において養生され十分な栄養分を吸収出来、太陽光の大きな恵を受け炭疽病の発生もなく、高品質で太玉の果実を得ることが出来、生産が安定的に行われ効果を上げることが出来る。【００１０】  本発明の請求項２の果実の矮化栽培における結果枝の更新方法は、各芽から同時に果実の養生がされず２芽おきの離れ部分において同時に果実が養生され、隣接する部分からは次の年に更にその次の年に果実が順次養生される方法からなる。そのため隣接する枝間の干渉も少なく、太陽光の十分な恵を受けることが出来、栄養分の吸収もよく、より高品質の果実を養生することが出来る。【００１１】  また、請求項３の果実の矮化栽培における結果枝の更新方法によれば、隣接する芽間の間隔が３０ｃｍであり、相互干渉の度合を低減させ太陽光の恵を十分に受けることが出来る。また、全高が１８０ｃｍ乃至２００ｃｍのため果実の収穫が老人でも容易に出来る効果を上げることが出来る。
【図面の簡単な説明】
【００１２】
【図１】本発明の請求項１における更新方法の第１ステップを示す模式図。
【図２】本発明の請求項１における更新方法の第２ステップを示す模式図。
【図３】本発明の請求項１における更新方法の第３ステップを示す模式図。
【図４】本発明の請求項１における更新方法の第４ステップを示す模式図。
【図５】本発明の請求項１における更新方法の第５ステップを示す模式図。
【図６】本発明の請求項１における更新方法の第６ステップを示す模式図。
【図７】本発明の請求項１における更新方法の第７ステップを示す模式図。
【図８】本発明の請求項１における更新方法の第８ステップを示す模式図。
【図９】本発明の請求項１における更新方法の第９ステップを示す模式図。
【図１０】本発明の請求項１における更新方法の第１０ステップを示す模式図。
【図１１】本発明の請求項１における更新方法の最終姿を示す模式図。
【図１２】本発明の請求項２の更新方法の第１ステップを示す模式図。
【図１３】本発明の請求項２の更新方法の第２ステップを示す模式図。
【図１４】本発明の請求項２の更新方法の第３ステップを示す模式図。
【図１５】本発明の請求項２の更新方法の第４ステップを示す模式図。
【図１６】本発明の請求項２の更新方法の第５ステップを示す模式図。
【図１７】本発明の請求項２の更新方法の第６ステップを示す模式図。
【図１８】本発明の請求項２の更新方法の第７ステップを示す模式図。
【図１９】従来一般に行われている果実の栽培方法を示す模式図。
【発明を実施するための形態】
【００１３】  以下、本発明の果実の矮化栽培における結果枝の更新方法の実施の形態を図面を参照して詳述する。
以下の更新方法は主として梅とオウトウ（桜桃）について行われるものであるが他の果実についても適用可能であるがここでの説明は省略する。
【実施例１】
【００１４】  この実施例は請求項１の果実の矮化栽培における結果枝の更新方法についてのものである。
図１に示すように有機質土壌３に植付けられた果実の苗木は主幹１に沿って複数の芽を発生させこの芽から１年枝の新梢枝２が伸長する。なお、この新梢枝２の隣接間の間隔は３０ｃｍになるように予め整枝される。これが第１ステップである。【００１５】  図２は２年樹の整枝，剪定に当る作業であり、新梢枝２から発育した結果枝２ａは主幹１側において３ｃｍ乃至５ｃｍの切り返しが行われ短突出部（芽）４が形成される。これが第２ステップになる。【００１６】  図３は第３ステップを示すものであり２年枝の生育に当るもので短突出部（芽）４より３本の新梢枝が伸長させて結果母枝５を作る。【００１７】  図４は第４ステップを示すもので３年枝の整枝，剪定に当るものである。図３における結果母枝５の内の中央の１本の結果母枝５のみを残し他の２本は根本に２乃至３の芽６を残す切り返しが行われる。また、１本残った結果母枝５はその先端を全長の１／３乃至１／４の長さだけ切断する切り返しを行う。【００１８】  図５は第５ステップを示すもので３年樹の生育に当るステップである。図４に示した結果母枝５に複数の短果枝７が伸長し一方芽６からの夫々新梢枝２が伸長しその内の１本の新梢枝２はその先端を全長の１／３乃至１／４の長さに切断する切り返しを行う。【００１９】  図６は４年樹の生育に当る第６ステップを示すものであり第５ステップに示した短果枝７に果実８が養生され１／３乃至１／４の切り返しを行った新梢枝２の成長した結果母枝５に短果枝７が生ずる。【００２０】  図７は４年樹の整枝，剪定に当る第７ステップを示すものであり、第６ステップにおいて果実８が養生された枝は主幹側に芽６を残して切り返しされ、１／３乃至１／４の長さの切り返しが行われた枝（結果母枝５）には短果枝７を成長し残りの１本の新梢枝２は先端に１／３乃至１／４の切り返しを行う。【００２１】  図８は４年樹の生育に当る第８ステップを示すもので短果枝７には果実８が養生され１／３乃至１／４の切り返しを行った枝には短果枝７が形成され図７における芽６からは新梢枝２が成長する。【００２２】  図９は５年樹の整枝，剪定に当る第９ステップを示すものであり、図８に示した果実８を養生した枝は芽６を残して切断される切り返しが行われ図８に示した短果枝７は成長し新梢枝２は１／３乃至１／４の長さの切り返しが行われる。【００２３】  図１０は５年樹の生育に当る第１０ステップを示すものであり、短果枝７には果実８が養生され、芽６からは新梢枝２が発生し結果枝２ａとなり１／３乃至１／４の切り返しを行い、また、１／３乃至１／４の長さの切り返しを行った枝には短果枝７が発生する。【００２４】  図１１はこの更新方法による最終的な形態を説明するためのものであり、請求項３に示すように夫々の枝群は互いに３０ｃｍ離した位置において同時に夫々果実８が形成されると共に全高が１８０ｃｍ乃至２００ｃｍになるように形成される。【００２５】  なお、図６の第６ステップから図１０に示す第１０ステップまでの整枝，剪定及び樹の生育は順次年毎に繰り返し行われることになる。
【実施例２】
【００２６】  この実施例は請求項２の果実の矮化栽培における結果枝の更新方法に関するものである。
本発明は主幹１の一番下の第１番芽の芽から上方に向かって第ｎ番目までの果実の更新方法についてのものであるが、芽間の間隔が請求項３に記載されているように３０ｃｍであり、最終の全高が１８０ｃｍ乃至２００ｃｍにおさえるようにしている。そのため番手としては第１番目から第６番目までが該当するため以下の説明はその番手に限定して説明する。【００２７】  図１２は第１ステップを示すもので有機質土壌３から伸延した主幹１には第１番目から第７番目の芽からの新梢枝２から成長した結果枝２ａが伸長する。【００２８】  図１３は第２ステップを示すもので結果枝２ａはその根元を切り返し切断し３ｃｍ乃至５ｃｍの短突出部（芽）４を形成させる。【００２９】  図１４は２年樹の生育に当る第３ステップを示すものであり夫々の短突出部（芽）４から３本の新梢枝２が伸長する。【００３０】  図１５は３年樹の整枝，剪定に当る第４ステップを示すものであり図１４における新梢枝２の３本の中の１本のみを残し他の２本は１乃至２芽を残して切断する切り返しを行って芽６を作ると共に１本の残った新梢枝２は結果母枝５となる。この結果母枝５はその先端を全長の１／３乃至１／４の長さだけ切り返しを行う。【００３１】  図１６は３年樹の生育に当る第５ステップを示すものである。１本残った結果母枝５には短果枝７が形成され他の２本の芽６からは新梢枝２が夫々伸長する。【００３２】  図１７は４年樹の整枝，剪定に当る第６ステップを示すものであり、この発明（実施例２）の根幹を示すものである。
図示のように第１番目の枝と第４番目の枝は短果枝７の成長した結果母枝５はそのままとしその先端部を切り返し他の２本の新梢枝２は２乃至３の芽を残して切り返す。また、第２番目の部分及び第５番目の部分は結果枝２ａを１本残し他の２本は２乃至３の芽を残して切り返す。また、第３番目の部分及び第６番目の部分はすべての新梢枝２を２乃至３の芽を残して切り返しを行う。【００３３】  図１８は４年樹の生育に当る第７ステップを示すものである。第１番目と第４番目の短果枝７には果実８が実り収穫される。第２番目と第５番目の結果母枝５には短果枝７が伸長し他の２本の芽６からは新梢枝２が伸長する。また、第３番目と第６番目の３本の芽６からは新梢枝２が伸長する。【００３４】  以下、図示していないが第２番目と第５番目には次の年に果実８が実り収穫され、第３番目と第６番目にはその次の年に果実８が実って収穫される。
以下、同様のことが繰り返し行われる。この更新方法によって太陽光の一層の照射を受けることが出来、養分の吸収もより活発に行われ、高品質の果実を収穫することが出来る。
【実施例３】
【００３５】  図１１及び図１８は実施例１及び実施例２の最終的な形態を示すもので請求項３に記載されているように隣接する芽６の間隔は３０ｃｍとなり、全高は１８０ｃｍ乃至２００ｃｍのものとなる。勿論、全高がもっと高い場合は前記した内容の各ステップが同様に行われることは勿論である。【００３６】  以上により本発明の果実の矮化栽培における結果枝の更新方法の説明を完了するが、その内容は以上のものに限定するものではなく、同一技術的範疇のものが適用されることは勿論である。
【産業上の利用可能性】
【００３７】  本発明は果実の中でも梅やオウトウ（桜桃）に適用されるものではあるが、その他の果実、例えば柿や桃に対しても適用可能でありその利用範囲は広い。
【符号の説明】
【００３８】１    主幹
２    新梢枝
２ａ  結果枝
３    有機質土壌
４    短突出部（芽）
５    結果母枝
６    芽
７    短果枝
８    果実
【要約】
【課題】太陽光を十分に浴びると共に有機質土壌からの養水を十分に吸収し、夫々の年に必要な整枝，剪定を行い有効な生育を行うことにより太玉で高品質で炭疽病もなく効率的な収穫が出来る果実の矮化栽培における結果枝の更新方法を提供する。
【解決手段】１年樹の第１ステップから５年樹の第１０ステップまでにより枝の生育，整枝，剪定を行うことにより高品質で太玉の梅やオウトウ等の果実を効率的に行うことが出来、また、隣接する枝に１年違い乃至２年違いの生育等を行うことにより太陽光の照射を更に十分に受けることが出来、高品質の果実を得ることが出来る。また、全高も２００ｃｍ以下であり、老人でも容易に果実を収穫することが出来る。
【選択図】図１１【図１】
0005831836.tif 000002
【図２】
0005831836.tif 000003
【図３】
0005831836.tif 000004
【図４】
0005831836.tif 000005
【図５】
0005831836.tif 000006
【図６】
0005831836.tif 000007
【図７】
0005831836.tif 000008
【図８】
0005831836.tif 000009
【図９】
0005831836.tif 000010
【図１０】
0005831836.tif 000011
【図１１】
0005831836.tif 000012
【図１２】
0005831836.tif 000013
【図１３】
0005831836.tif 000014
【図１４】
0005831836.tif 000015
【図１５】
0005831836.tif 000016
【図１６】
0005831836.tif 000017
【図１７】
0005831836.tif 000018
【図１８】
0005831836.tif 000019
【図１９】
0005831836.tif 000020